(57)【要約】【課題】顧客がロゴデータを容易且つ安価に入手可能なロゴデータ配信システム等を提供する。【解決手段】注文を受けて、ロゴデータを加工した加工ロゴデータを配信する受注サーバ１と、注文を行う顧客端末４ｂと、受注サーバ１から配信された加工ロゴデータを使用する印刷端末１０ｂと、が接続されたロゴデータ配信システムＳＹであって、受注サーバ１は、顧客端末４ｂから、注文内容を示す注文データを取得し、当該取得に伴って印刷端末１０ｂから当該印刷端末１０ｂに設定されている設定情報を取得する。そして、注文データによって指定されたロゴデータを、設定情報に基づいて印刷端末１０ｂで正確な印刷結果が得られるように加工して、印刷端末１０ｂに配信する。【選択図】図１
2008305220.tif 000002
【特許請求の範囲】
【請求項１】
ロゴデータを配信する受注サーバと、
顧客端末と、
前記受注サーバから配信された前記ロゴデータを使用する印刷端末と、がネットワークを介して接続されたロゴデータ配信システムであって、
前記受注サーバは、
前記顧客端末から、前記顧客端末で設定した注文データを取得する注文データ取得手段と、
前記注文データ取得手段による前記注文データの取得に伴って、前記印刷端末から当該印刷端末に設定されている設定情報を取得する設定情報取得手段と、
前記注文データによって指定された前記ロゴデータを、前記設定情報に基づいて加工することにより、加工ロゴデータを生成する加工ロゴデータ生成手段と、
前記加工ロゴデータを、前記印刷端末に配信する配信手段と、を備えたことを特徴とするロゴデータ配信システム。
【請求項２】
前記印刷端末は、
前記加工ロゴデータの印刷を実行する印刷装置と、
前記印刷装置に印刷データを出力する制御装置と、から成り、
前記制御装置は、
前記設定情報を記憶する設定情報記憶手段と、
前記受注サーバから配信された前記加工ロゴデータを取得する加工ロゴデータ取得手段と、
取得した前記加工ロゴデータを前記印刷装置にインストールするインストール手段と、を有することを特徴とする請求項１に記載のロゴデータ配信システム。
【請求項３】
前記ネットワークには、前記ロゴデータを提供するデザインサーバがさらに接続されており、
前記デザインサーバは、
前記ロゴデータのサンプルを複数記憶するサンプルデータ記憶手段を備え、
前記注文データには、前記サンプルデータ記憶手段に記憶されている複数のサンプルの中からいずれを選択したかの選択結果を示すサンプル選択データが含まれており、
前記加工ロゴデータ生成手段は、前記サンプル選択データに基づく前記サンプルを前記サンプルデータ記憶手段から読み出し、前記設定情報に基づいて加工することにより、前記加工ロゴデータを生成することを特徴とする請求項１または２に記載のロゴデータ配信システム。
【請求項４】
前記ネットワークには、前記ロゴデータを提供するデザインサーバがさらに接続されていると共に、
前記注文データには、前記加工ロゴデータの生成を依頼するデザイン案のイメージファイルが含まれており、
前記デザインサーバは、
前記受注サーバから前記イメージファイルを取得するイメージファイル取得手段と、
前記イメージファイルに基づいて生成した前記ロゴデータを、前記受注サーバに送信するロゴデータ送信手段と、を備え、
前記加工ロゴデータ生成手段は、前記デザインサーバから送信された前記ロゴデータを、前記設定情報に基づいて加工することにより、前記加工ロゴデータを生成することを特徴とする請求項１または２に記載のロゴデータ配信システム。
【請求項５】
前記注文データには、前記加工ロゴデータの反転、回転、印刷品質、印刷開始位置、マージンのうち、１以上の情報が含まれており、
前記加工ロゴデータ生成手段は、
前記注文データに含まれる各情報に対応したコマンドを前記ロゴデータに付加することにより、前記加工ロゴデータを生成することを特徴とする請求項１ないし４のいずれか１項に記載のロゴデータ配信システム。
【請求項６】
前記設定情報には、前記印刷装置の機種、使用色、強調色、ロゴサイズ、用紙サイズのうち、１以上の情報が含まれていることを特徴とする請求項１ないし５のいずれか１項に記載のロゴデータ配信システム。
【請求項７】
前記制御装置は、ＰＯＳ端末であり、
前記印刷装置は、会計レシートを発行するレシート印刷装置であることを特徴とする請求項２に記載のロゴデータ配信システム。
【請求項８】
注文を受けて、ロゴデータを加工した加工ロゴデータを配信する受注サーバと、
前記注文を行う顧客端末と、
前記受注サーバから配信された前記加工ロゴデータを使用する印刷端末と、がネットワークを介して接続されたロゴデータ配信システムであって、
前記受注サーバは、
注文内容を示す注文データと、前記印刷端末に設定されている設定情報と、を取得することによって受注を行う受注手段と、
前記注文データによって指定された前記ロゴデータを、前記設定情報に基づいて前記印刷端末で正確な印刷結果が得られるように加工することにより、前記加工ロゴデータを生成する加工ロゴデータ生成手段と、
生成した前記加工ロゴデータを、前記印刷端末に配信する配信手段と、を備え、
前記顧客端末は、
前記注文データと前記設定情報とを前記受注サーバに送信することによって受注させる「手動設定」と、前記注文データを前記受注サーバに送信し、前記受注サーバが当該注文データの取得に伴って前記印刷端末から前記設定情報を自動取得することによって受注させる「自動設定」とのいずれかの方法によって発注する発注手段を備えたことを特徴とするロゴデータ配信システム。
【請求項９】
コンピュータを、請求項１ないし８のいずれか１項に記載のロゴデータ配信システムにおける各手段として機能させるためのプログラム。
【発明の詳細な説明】
【技術分野】
【０００１】
本発明は、ロゴデータの配信サービスを行うロゴデータ配信システムおよびプログラムに関するものである。
【背景技術】
【０００２】
従来、ロゴデータを、通信網回線を介してユーザ端末に配信するサービスが知られている（例えば、特許文献１）。一方、このロゴデータ配信サービスを、ＰＯＳシステムに適用し、配信されたロゴデータを、店舗名を示すロゴマークとして会計レシート上に印刷する技術が知られている（例えば、特許文献２）。この構成により、作業員が店舗に赴くことなく、会計レシートに印刷するロゴマークの登録や変更が迅速に行うことができる。
【特許文献１】特開２００２−０９７４７６号公報
【特許文献２】特開２００５−２２８０２１号公報
【発明の開示】
【発明が解決しようとする課題】
【０００３】
ところで、近年、デザイン性の向上および他店舗との差別化を図るため、レシート上に印刷するロゴマークを、デザイナーに依頼して作成してもらうことが多くなってきている。この場合、デザイナーはデザインしたロゴマークのデータ（以下、「ロゴデータ」と称する）をビットマップデータとして提供するが、このビットマップデータを、会計レシートを印刷するレシート印刷装置にそのままインストールしても、適切に印刷することができない。これは、レシート印刷装置の機種や印刷媒体である用紙の幅等に応じてロゴデータを加工する必要があるためであり、現状では、プリンタメーカーがデザイン後のロゴデータを、レシート印刷装置の印刷設定に合わせて加工し、加工後のロゴデータ（以下、「加工ロゴデータ」と称する）を店舗に提供している。さらに、店舗側でレシート印刷装置にインストールする必要があるが、これも専門知識が必要で困難な作業であった。
【０００４】
このように、デザイナーにより作成されたロゴデータなど、レシート印刷装置の印刷設定を加味することなく作成されたロゴデータを使用するためには、ロゴデータの登録や変更に、多くの時間と費用が必要であった。つまり、このような背景が、結果的にロゴマークの陳腐化を招き、さらにはデザイン性向上の妨げとなっていた。
【０００５】
本発明は、上記の問題点に鑑み、顧客がロゴデータを容易且つ安価に入手可能なロゴデータ配信システムおよびプログラムを提供することを課題とする。
【課題を解決するための手段】
【０００６】
本発明のロゴデータ配信システムは、ロゴデータを配信する受注サーバと、顧客端末と、受注サーバから配信されたロゴデータを使用する印刷端末と、がネットワークを介して接続されたロゴデータ配信システムであって、受注サーバは、顧客端末から、顧客端末で設定した注文データを取得する注文データ取得手段と、注文データ取得手段による注文データの取得に伴って、印刷端末から当該印刷端末に設定されている設定情報を取得する設定情報取得手段と、注文データによって指定されたロゴデータを、設定情報に基づいて加工することにより、加工ロゴデータを生成する加工ロゴデータ生成手段と、加工ロゴデータを、印刷端末に配信する配信手段と、を備えたことを特徴とする。
【０００７】
この構成によれば、顧客は、顧客端末から注文内容を示す注文データを受注サーバに送信するだけで、印刷端末で正確な印刷結果が得られるように加工された加工ロゴデータを取得できるため、プリンタメーカーにロゴデータの加工を依頼することなく、容易且つ安価に加工ロゴデータを入手することができる。また、入手した加工ロゴデータは、顧客端末ではなく、実際に加工ロゴデータを使用する印刷端末が直接取得するため、加工ロゴデータを顧客端末から印刷端末に移動させる手間を必要としない。また、受注サーバは、加工ロゴデータを生成するために必要な設定情報を、印刷端末から取得するため、顧客が設定情報を提供する必要が無く、設定情報入力の手間を省くことができると共に入力ミスの心配が無い。さらに、受注サーバ側は、顧客が指定可能なロゴデータの候補を多数用意しておくことで、顧客の好みや使用環境に応じた多様なロゴデータを配信することができる。また、作業員が客先に赴くことなくロゴデータを提供できるため、人件コストを削減することができるといった利点がある。このように、受注側および顧客の双方に効果をもたらすビジネスモデルにより、会計レシート等に印刷するロゴマークの陳腐化防止、およびデザイン性向上に寄与することができる。
【０００８】
上記に記載のロゴデータ配信システムにおいて、印刷端末は、加工ロゴデータの印刷を実行する印刷装置と、印刷装置に印刷データを出力する制御装置と、から成り、制御装置は、設定情報を記憶する設定情報記憶手段と、受注サーバから配信された加工ロゴデータを取得する加工ロゴデータ取得手段と、取得した加工ロゴデータを印刷装置にインストールするインストール手段と、を有することが好ましい。
【０００９】
この構成によれば、制御装置は、受注サーバから取得した加工ロゴデータを印刷装置にインストールするため、加工ロゴデータのインストールに人手を必要としない。つまり、顧客は、注文データを受注サーバに送信するだけの簡単な作業で、加工ロゴデータの登録および変更を完了させることができる。
【００１０】
上記に記載のロゴデータ配信システムにおいて、ネットワークには、ロゴデータを提供するデザインサーバがさらに接続されており、デザインサーバは、ロゴデータのサンプルを複数記憶するサンプルデータ記憶手段を備え、注文データには、サンプルデータ記憶手段に記憶されている複数のサンプルの中からいずれを選択したかの選択結果を示すサンプル選択データが含まれており、加工ロゴデータ生成手段は、サンプル選択データに基づくサンプルをサンプルデータ記憶手段から読み出し、設定情報に基づいて加工することにより、加工ロゴデータを生成することが好ましい。
【００１１】
この構成によれば、ロゴデータのサンプルを複数記憶するデザインサーバをロゴデータ配信システム組み込むことで、デザイナーがデザインサーバを管理し、受注サーバがロゴデータの加工を行うといったように、役割分担ができるため、受注サーバの制御負荷を軽減できる。また、複数のデザインサーバをシステムの構成要件とすることで、顧客はロゴデータの選択肢を広げることができ、顧客メリットとなる。
【００１２】
上記に記載のロゴデータ配信システムにおいて、ネットワークには、ロゴデータを提供するデザインサーバがさらに接続されていると共に、注文データには、加工ロゴデータの生成を依頼するデザイン案のイメージファイルが含まれており、デザインサーバは、受注サーバからイメージファイルを取得するイメージファイル取得手段と、イメージファイルに基づいて生成したロゴデータを、受注サーバに送信するロゴデータ送信手段と、を備え、加工ロゴデータ生成手段は、デザインサーバから送信されたロゴデータを、設定情報に基づいて加工することにより、加工ロゴデータを生成することが好ましい。
【００１３】
この構成によれば、顧客は、加工ロゴデータの生成を依頼するデザイン案のイメージファイルを注文データに含めて受注サーバに送信することにより、デザインサーバに対し、当該イメージファイルに基づいてロゴデータを生成させることができる。つまり、ロゴデータのサンプルの中から好みのものを選ぶのではなく、デザイン案を提示することができるため、受注サーバは、より顧客のニーズにあったオリジナリティの高いロゴデータを配信することができる。
なお、ロゴデータの生成は、人手を介するものであっても、自動生成であっても良い。すなわち、後者の場合、デザインサーバは、イメージファイル取得手段により取得したイメージファイルに基づいてロゴデータを生成するロゴデータ生成手段をさらに備え、ロゴデータ生成手段は、イメージファイルに所定の画像処理を施すことによってロゴデータを生成することとなる。
【００１４】
上記に記載のロゴデータ配信システムにおいて、注文データには、加工ロゴデータの反転、回転、印刷品質、印刷開始位置、マージンのうち、１以上の情報が含まれており、加工ロゴデータ生成手段は、注文データに含まれる各情報に対応したコマンドをロゴデータに付加することにより、加工ロゴデータを生成することが好ましい。
【００１５】
この構成によれば、加工ロゴデータの左右上下等の反転（加工ロゴデータの印刷レイアウトのバランスを考慮した場合の指定）、９０度や１８０度等の回転（会計レシートに加工ロゴデータを印刷する場合など、印刷方向を考慮した場合の指定）、印刷品質（速度重視か品質重視かの指定）、印刷開始位置（印刷媒体の搬送方向における先端から印刷開始位置までの長さの指定）、マージン（印刷媒体の搬送方向における左右の余白の指定）を、顧客が指定することができる。
【００１６】
上記に記載のロゴデータ配信システムにおいて、設定情報には、印刷装置の機種、使用色、強調色、ロゴサイズ、用紙サイズのうち、１以上の情報が含まれていることが好ましい。
【００１７】
この構成によれば、印刷装置の機種、使用色、強調色、ロゴサイズ、用紙サイズに基づき、印刷設定や用紙に応じて適切な印刷結果を得ることができる加工ロゴデータを生成することができる。
【００１８】
上記に記載のロゴデータ配信システムにおいて、制御装置は、ＰＯＳ端末であり、印刷装置は、会計レシートを発行するレシート印刷装置であることが好ましい。
【００１９】
この構成によれば、本発明をＰＯＳシステムに適用し、配信されたロゴデータを、店舗名を示すロゴマークとして会計レシート上に印刷させることができる。
【００２０】
本発明の他のロゴデータ配信システムは、注文を受けて、ロゴデータを加工した加工ロゴデータを配信する受注サーバと、注文を行う顧客端末と、受注サーバから配信された加工ロゴデータを使用する印刷端末と、がネットワークを介して接続されたロゴデータ配信システムであって、受注サーバは、注文内容を示す注文データと、印刷端末に設定されている設定情報と、を取得することによって受注を行う受注手段と、注文データによって指定されたロゴデータを、設定情報に基づいて印刷端末で正確な印刷結果が得られるように加工することにより、加工ロゴデータを生成する加工ロゴデータ生成手段と、生成した加工ロゴデータを、印刷端末に配信する配信手段と、を備え、顧客端末は、注文データと設定情報とを受注サーバに送信することによって受注させる「手動設定」と、注文データを受注サーバに送信し、受注サーバが当該注文データの取得に伴って印刷端末から設定情報を自動取得することによって受注させる「自動設定」とのいずれかの方法によって発注する発注手段を備えたことを特徴とする。
【００２１】
この構成によれば、設定情報を送信する「手動設定」と、受注サーバに自動取得させる「自動設定」と、のいずれかの発注方法を、顧客が自身の好みやニーズに応じて選択することができる。「手動設定」の場合は、大型店舗など複数の印刷端末を有する店舗の場合、顧客端末で細かい設定変更を行うことができる。また、「自動設定」の場合は、中・小店舗など印刷端末を１台のみ有する店舗の場合、店員の手を煩わせることなく設定情報を自動取得させることができるため便利である。
【００２２】
本発明のプログラムは、コンピュータを、上記に記載のロゴデータ配信システムにおける各手段として機能させるためのものであることを特徴とする。
【００２３】
このプログラムを用いることにより、顧客がロゴデータを容易且つ安価に入手可能なロゴデータ配信システムを実現することができる。
【発明を実施するための最良の形態】
【００２４】
以下、添付の図面を参照し、本発明の一実施形態に係るロゴデータ配信システムおよびプログラムについて説明する。本実施形態では、会計レシート上にロゴマークとして印刷するためのロゴデータを配信する形態を例示する。
【００２５】
図１は、ロゴデータ配信システムＳＹのシステム構成図である。同図に示すように、ロゴデータ配信システムＳＹは、ロゴデータの作成依頼を受ける受注サーバ１と、ロゴデータのデザインを手掛けるデザインサーバ２と、Ａ店舗３ａおよびＢ店舗３ｂ等の顧客３と、ロゴデータの受注および配信のための情報伝達手段として機能するインターネット９（ネットワーク）と、を備えている。
【００２６】
受注サーバ１は、注文内容を示す注文データと、ロゴデータを使用するレシート印刷装置６（印刷装置）の設定情報（機種情報や用紙に関する情報など）と、を顧客３から取得することによって受注可能となっている。このとき、顧客３は、設定情報を手入力によって指定する「手動設定」と、受注サーバ１に自動取得させる「自動設定」と、のいずれかの方法で発注を行うことができる。以下の説明では、Ａ店舗３ａが「手動設定」、Ｂ店舗３ｂが「自動設定」により発注を行うものとする。
【００２７】
Ａ店舗３ａは、「手動設定」が可能な環境として、インターネット９に接続された顧客端末４ａと、当該顧客端末４ａに接続された印刷端末１０ａと、を有している。印刷端末１０ａとは、会計レシートを発行するレシート印刷装置６ａと、当該レシート印刷装置６ａに印刷データを出力するＰＯＳ端末５ａ（制御装置）と、を指す。顧客端末４ａと接続される印刷端末１０ａは、１つであっても良いし複数であっても良い。また、印刷端末１０ａ（ＰＯＳ端末５ａ）が、顧客端末４ａを介することなく、直接インターネット９と接続された構成であっても良い。なお、顧客端末４ａとＰＯＳ端末５ａおよびＯＳ端末５ａとレシート印刷装置６ａは、いずれもオンライン接続されているものとする。
【００２８】
一方、Ｂ店舗３ｂは、「自動設定」が可能な環境として、それぞれインターネット９に接続された顧客端末４ｂと、印刷端末１０ｂと、を有している。印刷端末１０ｂは、「手動設定」の場合と同様に、レシート印刷装置６ｂとＰＯＳ端末５ｂ（制御装置）と、から成る。「自動設定」の場合、印刷端末１０ｂは、複数であっても良いが、いずれもインターネット９に接続されていることが条件となる。また、ＰＯＳ端末５ｂおよびレシート印刷装置６ｂはオンライン接続されているものとする。
【００２９】
なお、上記の例では、２つの顧客端末４ａ，４ｂのみ図示したが、顧客端末４の数（顧客３の数）は３つ以上であっても良い。さらに、デザインサーバ２も、１つではなく複数であっても良い。
【００３０】
ここで、図２を参照し、印刷端末１０のハードウェア構成について簡単に説明する。上記のとおり、印刷端末１０はＰＯＳ端末５およびレシート印刷装置６から成る。ＰＯＳ端末５は、決済処理を実行するためのＰＯＳアプリケーション７１、プリンタドライバ７２およびレジストリ７３を装置内部に有すると共に、周辺機器として入力装置７４および表示装置７５を有している。ここで、入力装置７４とは、バーコードリーダー、カードリーダーおよびキーボードを指す。また、表示装置７５とは、カスタマディスプレイおよびオペレータ用ディスプレイを指す。
【００３１】
レジストリ７３には、プリンタドライバ７２によって設定された上記の設定情報が格納されている。本実施形態では、設定情報として、レシート印刷装置６の機種情報、使用色情報、強調色情報、ロゴサイズ情報、用紙サイズ情報等が格納されている。これらの情報（設定情報）は、受注サーバ１の取得要求に対して、ＰＯＳアプリケーション７１またはプリンタドライバ７２によって読み出し、出力可能となっている。
【００３２】
なお、レジストリ７３内の設定情報の名称や形式は任意であり、プリンタドライバ７２側で設定可能である。また、ＰＯＳ端末５ａについては（「手動設定」の場合は）、設定情報としてレジストリ７３に上記の全ての情報を格納しておく必要は無い。
【００３３】
一方、レシート印刷装置６は、加工ロゴデータ（受注サーバ１がロゴデータを使用対象となるレシート印刷装置６に合わせて加工したデータ）を記憶するための記憶領域であるロゴエリア６１を有している。ＰＯＳ端末５が受注サーバ１から取得した加工ロゴデータは、ＰＯＳ端末５によりレシート印刷装置６ａにインストールされて当該ロゴエリア６１に格納される。
【００３４】
次に、図３を参照し、ロゴデータ配信システムＳＹの制御構成について説明する。受注サーバ１は、受注手段１０と、加工ロゴデータ生成手段１３と、配信手段１４と、を有している。
【００３５】
受注手段１０は、注文データを取得する注文データ取得手段１１と、設定情報を取得する設定情報取得手段１２と、を有する。注文データ取得手段１１は、受注サーバ１が提供する注文画面Ｄ（図６ないし図１０参照）に対する顧客端末４ａ，４ｂの情報入力結果を、注文データとして取得する（「手動設定」／「自動設定」共通）。また、設定情報取得手段１２は、「手動設定」の場合、注文画面Ｄの一つである印刷設定画面Ｄ４（図９参照）に対する顧客端末４ａ，４ｂの情報入力結果を設定情報として取得し、「自動設定」の場合、ＰＯＳ端末５ｂのレジストリ７３から読み出した設定情報を取得する。
【００３６】
加工ロゴデータ生成手段１３は、注文データによって指定されたロゴデータを、設定情報に基づいて、レシート印刷装置６の仕様に適合したもので、正確な印刷結果が得られるように加工することにより、加工ロゴデータを生成するものである。また、配信手段１４は、加工ロゴデータ生成手段１３が生成した加工ロゴデータを、顧客端末４ａ（「手動設定」の場合）やＰＯＳ端末５ｂ（「自動設定」の場合）に配信するものである。
【００３７】
デザインサーバ２は、サンプルデータ記憶手段２１と、イメージファイル取得手段２２と、ロゴデータ送信手段２３と、を有している。サンプルデータ記憶手段２１は、ロゴデータのサンプルを複数記憶するものである。顧客３は、これら複数のサンプルの中からいずれかを選択する。その選択結果であるサンプル選択データは、受注サーバ１が顧客端末４から注文データの一部として取得する。また、詳細については後述するが、顧客３は、これら複数のサンプルの中から選択したロゴデータの編集を行うことも可能となっている（図８参照）。
【００３８】
イメージファイル取得手段２２は、顧客３が作成したロゴデータのデザイン案をイメージファイルとして取得するものである。なお、当該イメージファイルは、注文データに含まれるものであり、受注サーバ１から送信（転送）される。
【００３９】
ロゴデータ送信手段２３は、イメージファイルに基づいてデザインしたロゴデータを、受注サーバ１に送信するものである。ここで、ロゴデータの生成は、人手を介するものであっても、自動生成であっても良い。すなわち、後者の場合、デザインサーバ２は、イメージファイル取得手段２２により取得したイメージファイルに基づいてロゴデータを生成するロゴデータ生成手段をさらに備えることとなる。また、この場合、ロゴデータ生成手段は、イメージファイルに所定の画像処理を施すことによってロゴデータを生成する。
【００４０】
「手動設定」用の顧客端末４ａは、発注手段４１ａと、加工ロゴデータ受信手段４２と、を有している。また、「手動設定」用のＰＯＳ端末５ａは、加工ロゴデータ取得手段５１ａと、インストール手段５２と、を有している。
【００４１】
発注手段４１ａは、注文データと、レシート印刷装置６ａの設定情報と、を受注サーバ１に送信するものである。また、加工ロゴデータ受信手段４２は、受注サーバ１から配信された加工ロゴデータを受信するものである。また、加工ロゴデータ取得手段５１ａは、加工ロゴデータ受信手段４２が受信した加工ロゴデータを顧客端末４ａから取得するものである。さらに、インストール手段５２は、取得した加工ロゴデータをレシート印刷装置６ａにインストールするものである。
【００４２】
一方、「自動設定」用の顧客端末４ｂは、発注手段４１ｂを有している。また、「自動設定」用のＰＯＳ端末５ｂは、設定情報記憶手段５０と、加工ロゴデータ取得手段５１ｂと、インストール手段５２と、を有している。なお、インストール手段５２およびレシート印刷装置６ｂについては、「手動設定」と同じ構成である。
【００４３】
発注手段４１ｂは、注文データを受注サーバ１に送信するものである。また、設定情報記憶手段５０は、上記の設定情報を記憶するものであり、具体的にはレジストリ７３（図２参照）を指す。また、加工ロゴデータ取得手段５１ｂは、受注サーバ１が生成した加工ロゴデータを、インターネット９を介して取得するものである。このように「自動設定」の場合は、ＰＯＳ端末５ｂが顧客端末４ｂを介することなく加工ロゴデータを取得可能である。
【００４４】
次に、図４を参照し、「手動設定」により発注を行う場合のロゴデータ配信システムＳＹの処理フローについて説明する。顧客端末４ａが、設定情報と注文データとを受注サーバ１に送信することによって発注を行うと（Ｓ０１）、受注サーバ１はこれを受注する（Ｓ０２）。ここで、注文データ内にデザイン案のイメージファイルが含まれる場合、受注サーバ１は当該イメージファイルをデザインサーバ２に送信し、デザインサーバ２はこれを取得する（Ｓ０３）。デザインサーバ２は、イメージファイルに基づいてロゴデータを生成し、これを受注サーバ１に送信する（Ｓ０４）。
【００４５】
一方、注文データ内にサンプル選択データが含まれる場合、受注サーバ１はデザインサーバ２内の所定の記憶領域２７から当該サンプル選択データに対応するサンプルデータを取得する（Ｓ０５）。受注サーバ１は、当該サンプルデータ、またはデザインサーバ２から送信されたロゴデータを、設定情報および注文データに基づいて加工することにより、加工ロゴデータを生成し（Ｓ０６）、これを圧縮して顧客端末４ａに配信する（アップロードする，Ｓ０７）。
【００４６】
顧客端末４ａは、受注サーバ１から加工ロゴデータを受信すると（ダウンロードすると，Ｓ０８）、当該加工ロゴデータをＰＯＳ端末５ａに出力し、ＰＯＳ端末５ａはこれを取得する（Ｓ０９）。ＰＯＳ端末５ａは、取得した加工ロゴデータを解凍し、インストール手段５２により、レシート印刷装置６ａにインストールする（Ｓ１０）。なお、加工ロゴデータの解凍は、顧客端末４ａで行い、解凍後のデータをＰＯＳ端末５ａに出力するようにしても良い。
【００４７】
レシート印刷装置６ａは、インストールされた加工ロゴデータをロゴエリア６１（図２参照）に格納することによって、ロゴデータの登録または変更を行い（Ｓ１１）、印刷処理時にロゴエリア６１を参照して会計レシートの印刷および発行を行う（Ｓ１２）。
【００４８】
なお、顧客端末４ａは、受注サーバ１から加工ロゴデータを受信した直後に、当該加工ロゴデータをＰＯＳ端末５ａに出力するか、若しくは受信後しばらく加工ロゴデータを保留しておき、予め設定された時刻にＰＯＳ端末５ａに出力するかを設定できることが好ましい。後者の場合、Ａ店舗３ａの営業終了後に時刻設定しておくことで、加工ロゴデータのインストール処理によってＰＯＳ端末５ａのレシート発行処理に支障を来たすことを防止できる。また、同じくレシート発行処理に支障を来たすことを防止するため、顧客端末４ａがＰＯＳ端末５ａの処理状況を監視し、決済処理が実行されていないアイドル時に、加工ロゴデータを出力するようにしても良い。
【００４９】
また、顧客端末４ａは、一旦受注サーバ１から加工ロゴデータを受信して、当該加工ロゴデータに細かい設定を行った後、ＰＯＳ端末５ａに出力するようにしても良い。さらに、顧客端末４ａが複数のＰＯＳ端末５ａと接続されている構成の場合、顧客端末４ａは、加工ロゴデータの出力対象となるＰＯＳ端末５ａを指定する必要があるが、加工ロゴデータに付加される情報（コマンドなど）と、各印刷端末１０ａを特定する情報（例えば、レシート印刷装置６ａの機種情報など）とを対応付けたテーブルを用意しておき、当該テーブルを参照することによって、出力対象となるＰＯＳ端末５ａを判別し、ロゴデータを自動出力するようにしても良い。
【００５０】
次に、図５を参照し、「自動設定」により発注を行う場合のロゴデータ配信システムＳＹの処理フローについて説明する。ここでは、「手動設定」と異なる部分を中心に説明する。顧客端末４ｂが、注文データを受注サーバ１に送信することによって発注を行うと（Ｓ３１）、受注サーバ１は、ＰＯＳ端末５ｂのレジストリ７３にアクセスして設定情報を取得し、受注する（Ｓ３２）。なお、受注サーバ１が送信先となるＰＯＳ端末５ｂを特定するための情報は、顧客端末４ｂが注文データに含めて受注サーバ１に提供しても良いし、同一店舗の顧客端末５ｂ（発注者）とＰＯＳ端末５ｂとを対応付けたテーブルを受注サーバ１内に格納しておき、当該テーブルを参照して該当するＰＯＳ端末５ｂにアクセスするようにしても良い。
【００５１】
受注サーバ１が受注を受けて加工ロゴデータを生成するまでの工程（Ｓ３２〜Ｓ３６）は、図４のＳ０２〜Ｓ０６と同様である。「自動設定」の場合、受注サーバ１は、加工ロゴデータを生成すると、これを圧縮した後、ＰＯＳ端末５ｂに対して配信する（アップロードする，Ｓ３７）。ＰＯＳ端末５ｂは、受注サーバ１から加工ロゴデータを取得すると（ダウンロードすると，Ｓ３８）、取得した加工ロゴデータを解凍し、レシート印刷装置６ｂにインストールする（Ｓ３９）。インストール後の工程Ｓ４０，Ｓ４１は、図４のＳ１１，Ｓ１２と同様である。
【００５２】
なお、「自動設定」の場合は、受注サーバ１からＰＯＳ端末５ｂへの加工ロゴデータの配信時間を注文データ内で指定できるようにしても良い。これにより、加工ロゴデータのインストール処理によってＰＯＳ端末５ａのレシート発行処理に支障を来たすことを防止できる。
【００５３】
次に、図６ないし図１０を参照し、顧客端末５が発注を行うための注文画面Ｄについて説明する。図６は、顧客端末５が受注サーバ１にアクセスして最初に表示される注文画面Ｄであるデザイン注文画面Ｄ１の一例を示したものである。デザイン注文画面Ｄ１は、発注者名を入力する欄Ｅ１１と、発注者ＩＤを入力する欄Ｅ１２と、銀行口座を入力する欄Ｅ１３と、発注日を入力（指定）する欄Ｅ１４と、サンプルを選択する欄Ｅ１５と、デザイン案のファイルを指定する欄Ｅ１６と、ロゴ名を入力する欄Ｅ１７と、付加情報を入力する欄Ｅ１８と、設定情報の「手動設定」／「自動設定」を選択する欄Ｅ１９と、を備えている。また、その他、サンプル選択画面Ｄ２（図７参照）に遷移するためのサンプル一覧ボタンＢ１、入力内容を確定するためのＯＫボタンＢ２、入力内容をキャンセルするためのキャンセルボタンＢ３、次画面に遷移するための次画面ボタンＢ４を備えている。
【００５４】
発注者ＩＤ（Ｅ１２）は、発注者（顧客３）がロゴデータ配信システムＳＹに登録した際に予め付与されたものであり、登録処理時に各種情報を入力しておくことで、発注者名（Ｅ１１欄）および銀行口座（Ｅ１３欄）の入力を省略することが可能である。また、同図の例では、サンプル一覧の中からサンプル名「スーパー用Ａ」を選択した場合を示しているが、デザイン案に基づくロゴデータの作成を依頼する場合、顧客３は、Ｅ１６欄でイメージファイルを指定する。
【００５５】
なお、「手動設定」の場合は、デザイン注文画面Ｄ１の入力後、次画面ボタンＢ４の押下により、後述する印刷設定画面Ｄ４（図９参照）および初期設定画面Ｄ５（図１０参照）の入力を行う。また、「自動設定」の場合は、デザイン注文画面Ｄ１の入力後、次画面ボタンＢ４の押下により、初期設定画面Ｄ５の入力を行う。
【００５６】
ここで、図７および図８を参照し、サンプル一覧ボタンＢ１押下後に遷移するサンプル選択画面Ｄ２およびサンプル編集画面Ｄ３について説明する。図７に示すように、サンプル選択画面Ｄ２は、複数のサンプル画像Ｅ２１〜Ｅ２４と、各サンプル画像Ｅ２１〜Ｅ２４の選択後、必要に応じて編集を行うための編集画面ボタンＢ２１〜Ｂ２４と、ＯＫボタンＢ５と、キャンセルボタンＢ６と、を備えている。各サンプル画像Ｅ２１〜Ｅ２４には、サンプル名が示されており、サンプル名を選択した状態でＯＫボタンＢ５を押下することにより、デザイン注文画面Ｄ１のＥ１５欄にサンプル名を表示させることができる。また、編集画面ボタンＢ２１〜Ｂ２４のいずれかを押下することで、サンプル編集画面Ｄ３に遷移可能となっている。
【００５７】
図８に示すように、サンプル編集画面Ｄ３は、編集結果を表示する欄Ｅ３１と、ロゴ名を編集する欄Ｅ３２と、日付の「有り」／「無し」を選択する欄Ｅ３３と、電話番号を入力する欄Ｅ３４と、付加情報を編集する欄Ｅ３５と、フォントを指定する欄Ｅ３６と、挿入する画像を選択する欄Ｅ３７と、ＯＫボタンＢ７と、キャンセルボタンＢ８と、を備えている。同図は、サンプル選択画面Ｄ２（図７参照）において、編集画面ボタンＢ２１が押下された場合を示しており、Ｅ３１欄にサンプル名「スーパー用Ａ」のサンプルデータの編集結果を示している。
【００５８】
Ｅ３２欄およびＥ３５欄は、デザイン注文画面Ｄ１（図６参照）のＥ１７欄およびＥ１８欄に対応している。すなわち、デザイン注文画面Ｄ１のＥ１７欄およびＥ１８欄に入力された情報が、サンプル編集画面Ｄ３のＥ３２欄およびＥ３５欄に反映される。Ｅ３３欄では、決済処理を行った日付（決済処理を行った時刻を付加しても良い）を、ロゴマークの一部として入力するか否かを選択する。また、Ｅ３６欄では、ロゴ名、日付、電話番号および付加情報のフォント（文字装飾を含めても良い）を一括して指定可能となっているが、それぞれ個別に指定可能としても良い。また、Ｅ３７欄では、複数の選択肢の中からキャラクタを選択可能であるが、顧客３がファイルとして提供した画像を挿入させても良い。さらに、Ｅ３１欄では、編集結果を表示するだけでなく、各オブジェクトの位置（配置）を変更したりサイズを変更したりなどの編集が可能となっている。
【００５９】
サンプル編集画面Ｄ３からは、ＯＫボタンＢ７の押下により、デザイン注文画面Ｄ１に遷移可能であり、キャンセルボタンＢ８の押下により、サンプル選択画面Ｄ２に遷移可能となっている。
【００６０】
次に、図９を参照し、印刷設定画面Ｄ４について説明する。当該印刷設定画面Ｄ４は、「手動設定」の場合に、手入力によって設定情報を入力するための画面であるため、「自動設定」の場合は表示しない。なお、「自動設定」の場合、これらの情報はレジストリ７３から取得される。印刷設定画面Ｄ４は、レシート印刷装置６ａの機種を入力する欄Ｅ４１と、カラープリンタ／モノクロプリンタを選択する欄Ｅ４２と、使用色を指定する欄Ｅ４３と、強調色を指定する欄Ｅ４４と、加工ロゴデータを拡大または縮小するか等倍のまま使用するかを選択する欄Ｅ４５と、Ｅ４５欄で拡大縮小を選択した場合、その拡大率または縮小率を指定する欄Ｅ４６と、用紙サイズ（レシート紙の幅サイズ）を指定する欄Ｅ４７と、次画面ボタンＢ９と、を備えている。
【００６１】
Ｅ４１欄は、主にシリアルプリンタかラインプリンタかを判別するために入力させるものであり、機種に応じて加工ロゴデータ（ビットイメージデータ）のデータ並びを決定する。また、Ｅ４２欄およびＥ４３欄は、色数の決定や色補正のために入力させるものである。
【００６２】
なお、この他、印刷設定画面Ｄ４に、解像度や、用紙種類等を入力するための欄を設けても良いし、Ｅ４５欄およびＥ４６欄に代えて、ロゴマークのサイズを指定する欄を設けても良い。
【００６３】
次に、図１０を参照し、初期設定画面Ｄ５について説明する。初期設定画面Ｄ５は、必須入力項目ではなく、顧客３が必要に応じて入力するための画面である。初期設定画面Ｄ５は、加工ロゴデータを左右反転させて使用するか否かを選択する欄Ｅ５１と、加工ロゴデータを１８０度反転させて使用するか否かを選択する欄Ｅ５２と、印刷モードを指定する欄Ｅ５３と、印刷開始位置を入力（指定）する欄Ｅ５４と、左マージンを入力（指定）する欄Ｅ５５と、右マージンを入力（指定）する欄Ｅ５６と、デザイン注文画面Ｄ１に画面遷移させるための戻るボタンＢ１０と、を備えている。
【００６４】
Ｅ５１欄は、ロゴマークの用紙上におけるレイアウトやバランスを考慮して加工ロゴデータを反転させた方が良い場合に「有り」を選択する。これは上下左右のいずれの設定もできる。また、Ｅ５２欄は、会計レシートがレシート印刷装置６から排出されたときに、ＰＯＳ端末５の入力操作を行うオペレータが読める方向で印刷した方が良い場合に「有り」を選択する。この場合、会計レシートは最終行から印刷を開始し、最後に加工ロゴデータに基づくロゴマークを印刷する。なお、Ｅ５２欄では、回転させる角度を任意に設定できるようにしてもよい。また、Ｅ５３欄は、速度重視か品質重視かなどの印刷モードを選択し、Ｅ５４欄は、用紙の搬送方向における先端から印刷開始位置までの長さを指定する。さらに、Ｅ５５欄およびＥ５６欄は、用紙の搬送方向における左右の余白長を指定する。なお、Ｅ５５欄およびＥ５６欄では、上下の余白長を指定できるようにしてもよい。
【００６５】
次に、図１１を参照し、加工ロゴデータの生成処理について説明する。受注サーバ１は、デザインサーバ２からロゴデータ（加工前のビットマップデータ）を取得すると（Ｓ５１）、印刷設定（「手動設定」の場合は、印刷設定画面Ｄ４に入力された情報，「自動設定」の場合は、ＰＯＳ端末５ｂのレジストリ７３から取得した情報）に基づいて、プリンタ用ビットイメージデータを生成する（Ｓ５２）。プリンタ用ビットイメージデータは、コマンドと印刷データとから成り、この場合のコマンドは、シリアルプリンタからラインプリンタかによって異なる。また、印刷データは、縦数ビット×横数ビット（シリアルプリンタかラインプリンタかによって並びが異なる）の色毎のデータである。また、プリンタ用ビットイメージデータは、１行毎にＣＹＭ＋Ｂ（シアン、イエロー、マゼンタ、ブラック）のデータが重複して送信されることとなる。
【００６６】
続いて、受注サーバ１は、プリンタ用ビットイメージデータに対し、初期設定（初期設定画面Ｄ５に入力された情報）に基づいて初期設定用コマンドを付加する（Ｓ５３）。すなわち、初期設定画面Ｄ５の各欄Ｅ５１〜Ｅ５６の入力内容に応じた各コマンドをプリンタ用ビットイメージデータに付加する。以上の工程により、レシート印刷装置６にそのままインストール可能な（そのままインストールするだけで正しい印刷結果が得られる）加工ロゴデータを完成させる（Ｓ５４）。そして、最後に当該加工ロゴデータを圧縮処理し、自動解凍および自動インストールを実行する自動解凍ソフトを付加する（Ｓ５５）。
【００６７】
なお、上記の例では、受注サーバ１が、加工ロゴデータに自動解凍ソフトを付加して顧客端末４ａまたはＰＯＳ端末５ｂに送信するものとしたが、顧客端末４ａやＰＯＳ端末５ｂに自動解凍ソフトを予めインストールしておく構成とすれば、自動解凍ソフトの付加（Ｓ５５の工程）は不要である。
【００６８】
以上説明したとおり、本実施形態によれば、顧客３の好みやニーズに応じて、設定情報を手入力によって指定する「手動設定」と、受注サーバ１に自動取得させる「自動設定」と、のいずれかの方法で発注を行うことができる。「手動設定」の場合は、大型店舗など複数のＰＯＳ端末５ａを有する店舗の場合、一旦受注サーバ１で加工ロゴデータを受信し、適切なタイミングおよび適切な設定を行った上で各ＰＯＳ端末５ａに出力することができるため都合が良い。また、「自動設定」の場合は、中・小店舗などＰＯＳ端末５ｂを１台のみ有する店舗の場合、店員の手を煩わせることなく設定情報の提供や加工ロゴデータの自動インストールが可能であるため便利である。この場合、ＰＯＳ端末５ｂに顧客端末４ｂの機能を含むように構成して、ＰＯＳ端末５ｂのみで実行することもできる。「手動設定」の場合も、ＰＯＳ端末５aに顧客端末４aの機能を含むように構成して、ＰＯＳ端末５aのみで実行するようにしてもよい。このように、本実施形態によれば、顧客３の環境に応じて、利便性の良いロゴデータの配信サービスを提供することができる。
【００６９】
また、「手動設定」／「自動設定」のいずれも場合においても、顧客端末４から注文データ等の必要な情報を受注サーバ１に送信するだけで、レシート印刷装置６にそのままインストールできるように加工された加工ロゴデータを取得できるため、顧客３は、プリンタメーカーにロゴデータの加工を依頼することなく、容易且つ安価に加工ロゴデータを入手することができる。また、デザインサーバ２には、顧客３が指定可能なロゴデータの候補であるサンプルデータが多数用意されているため、顧客３の好みや使用環境に応じた多様なロゴデータを配信することができる。
【００７０】
さらに、顧客３は、新装開店時やＰＯＳ端末５の設定を更新したい場合にロゴデータの発注を行うことが多いため、発注時点における設定情報を受注サーバ１に送信して加工ロゴデータを生成させることで、正しく印刷可能な加工ロゴデータを入手することができる。また、「手動設定」を選択することで、細かい設定を行いたい場合や以前の設定を変更したい場合に有効である。
【００７１】
また、受注サーバ１側も、作業員が客先に赴くことなくロゴデータを提供できるため、人件コストを削減することができるといった利点がある。このように、受注側および顧客の双方に効果をもたらすビジネスモデルにより、会計レシート等に印刷するロゴマークの陳腐化防止、およびデザイン性向上に寄与することができる。
【００７２】
なお、上記の実施形態では、サンプルデータがデザインサーバ２内に格納されているものとしたが、受注サーバ１内に格納しておいても良い。この場合、ロゴデータ配信システムＳＹは、デザインサーバ２が不要となり、受注サーバ１と、顧客端末４と、印刷端末１０と、により構成される。
【００７３】
また、上記の実施形態では、サンプル編集画面Ｄ３（図８参照）において、サンプルデータの編集を行うことができるものとしたが、レイアウトの組み合わせや文字装飾が異なるパターン、並びにキャラクタや背景画像を付加したパターンなど、１のサンプルデータに対して複数の編集パターンを表示し、その中からいずれかを選択することによって加工対象となるロゴデータを指定できるようにしても良い。
【００７４】
また、上記の実施形態では、「手動設定」の場合、発注毎に顧客３が設定情報を入力するものとしたが、顧客３がロゴデータ配信システムＳの登録処理時に、発注者ＩＤと関連付けて予め設定情報を登録しておき、受注サーバ１は当該登録しておいた設定情報を取得するようにしても良い。この構成によれば、顧客３は、発注時に注文データのみを入力すれば良いため、発注処理を迅速に行うことができる。
【００７５】
また、「手動設定」の場合においても、ＰＯＳ端末５ａをインターネット９にオンライン接続することにより、顧客端末４ａを介することなく、直接ＰＯＳ端末５ａが受注サーバ１から加工ロゴデータを取得する構成としても良い。
【００７６】
また、上記の実施形態に示した、受注サーバ１、デザインサーバ２、顧客端末４および印刷端末１０の各構成要素をプログラムとして提供することが可能である。また、そのプログラムを各種記録媒体（ＣＤ−ＲＯＭ、フラッシュメモリ等）に格納して提供することも可能である。すなわち、コンピュータを、受注サーバ１、デザインサーバ２、顧客端末４および印刷端末１０の各手段として機能させるためのプログラム、およびそれを記録した記録媒体も、本発明の権利範囲に含まれるものである。
【００７７】
また、ロゴデータ配信システムＳＹを、「手動設定」のみ実行可能な環境、または「自動設定」のみ実行可能な環境として構築しても良いし、会計レシートに印刷するロゴマーク以外の他のロゴを印刷するためのロゴデータを配信するようにしても良い。つまり、ロゴデータの印刷するための装置は、レシート印刷装置６ではなく他の印刷装置であっても良いし、加工ロゴデータをインストールする装置も、ＰＯＳ端末５以外の制御装置であっても良い。その他、本発明の要旨を逸脱しない範囲で、適宜変更が可能である。
【図面の簡単な説明】
【００７８】
【図１】ロゴデータ配信システムのシステム構成図である。
【図２】印刷端末の制御ブロック図である。
【図３】ロゴデータ配信システムの機能ブロック図である。
【図４】「手動設定」により発注を行う場合のロゴデータ配信システムの処理を示すフローチャートである。
【図５】「自動設定」により発注を行う場合のロゴデータ配信システムの処理を示すフローチャートである。
【図６】デザイン注文画面の一例を示す図である。
【図７】サンプル選択画面の一例を示す図である。
【図８】サンプル編集画面の一例を示す図である。
【図９】印刷設定画面の一例を示す図である。
【図１０】初期設定画面の一例を示す図である。
【図１１】受注サーバにおける加工ロゴデータの生成処理を示すフローチャートである。
【符号の説明】
【００７９】
１…受注サーバ  ２…デザインサーバ  ３…顧客（店舗）  ４…顧客端末  ５…ＰＯＳ端末  ６…レシート印刷装置  ９…インターネット  １０…印刷端末  ６１…ロゴエリア  ７１…ＰＯＳアプリケーション  ７２…プリンタドライバ  ７３…レジストリ
【図１】
2008305220.tif 000003
【図２】
2008305220.tif 000004
【図３】
2008305220.tif 000005
【図４】
2008305220.tif 000006
【図５】
2008305220.tif 000007
【図６】
2008305220.tif 000008
【図７】
2008305220.tif 000009
【図８】
2008305220.tif 000010
【図９】
2008305220.tif 000011
【図１０】
2008305220.tif 000012
【図１１】
2008305220.tif 000013